(57)【要約】【課題】遊戯者が回転体に乗った状態で該回転体を手動により回転させて遊ぶ新規な遊具を提供することを目的とする。【解決手段】遊具１は、設置面に対して回転自在な回転体（ステージ３）と、回転体に設けられ遊戯者Ｐが着座する着座部（柱状部材１３）と、設置面に対して固定され遊戯者Ｐが着座部に着座した姿勢で操作可能な操作部（第３の手すり部２１）と、を備える。操作部は平面視して環状であり、回転体よりも外側の位置において当該回転体と同心円状に配置される。【選択図】図１
2019205495.tif 000002
【特許請求の範囲】
【請求項１】
設置面に対して回転自在な回転体と、
前記回転体に設けられ遊戯者が着座する着座部と、
前記設置面に対して固定され遊戯者が前記着座部に着座した姿勢で操作可能な操作部と、を備えたことを特徴とする遊具。
【請求項２】
前記操作部は平面視して環状であり、前記回転体よりも外側の位置において当該回転体と同心円状に配置されることを特徴とする請求項１に記載の遊具。
【請求項３】
前記操作部は複数あり、複数の前記操作部は前記回転体よりも外側の位置において当該回転体と同心円状に配置されることを特徴とする請求項１に記載の遊具。
【請求項４】
前記操作部よりも外側の位置に設けられ、前記回転体に乗り込んでいない非乗り込み者による前記回転体の周方向への移動を規制する規制部材をさらに備えたことを特徴とする請求項１乃至３の何れかに記載の遊具。
【発明の詳細な説明】
【技術分野】
【０００１】
本発明は、公園等に設置される遊具に関する。
【背景技術】
【０００２】
幼児や子供をはじめとする遊戯者の遊びに供される回転式の遊具として、回転木馬（いわゆるメリーゴーランド）や、回転軸を有するジャングルジムが知られている。
【０００３】
回転木馬は主に遊園地等の遊戯施設に設置され、モータ等の駆動源によって水平回転する回転体としての回転ステージと、ステージ上に設けられた木馬等の乗り物と、ステージの回転と同期させて乗り物を鉛直方向に延びた上下ポストに沿って上下動させる機構を備えたものが一般的である（例えば特許文献１を参照）。回転軸を有するジャングルジムは主に公園に設置され、設置面に対して回転自在な回転軸と、回転軸と一体となって回転し複数の金属パイプが全体として球状となるよう骨組みされた回転体（いわゆるジャングルジム）を備えたものが一般的である。
【先行技術文献】
【特許文献】
【０００４】
【特許文献１】特開平９―０５６９３１号公報
【発明の概要】
【発明が解決しようとする課題】
【０００５】
しかしながら、上記従来技術における回転木馬は、電力供給やメンテンナンスを含む高額な運営費・管理費が必要であること、装置自体がきわめて高価であること、安全管理上等々の理由により、公園に設置することは事実上不可能である。また、上記従来技術における回転軸を有するジャングルジムは、遊戯者が回転体を掴んだ状態で周方向に走行することで回転される。そのため遊戯者は、回転体に乗った（身体全体を預けた）状態で該回転体を手動で回転させることができない。
【０００６】
そこで本発明は、遊戯者が回転体に乗った状態で該回転体を手動により回転させて遊ぶ新規な遊具を提供することを目的とする。
【課題を解決するための手段】
【０００７】
本発明の遊具は、設置面に対して回転自在な回転体と、前記回転体に設けられ遊戯者が着座する着座部と、前記設置面に対して固定され遊戯者が前記着座部に着座した姿勢で操作可能な操作部と、を備えた。
【発明の効果】
【０００８】
本発明によれば、遊戯者が回転体に乗った状態で該回転体を手動により回転させて遊ぶことができる。
【図面の簡単な説明】
【０００９】
【図１】本発明の一実施の形態における遊具の全体を模式的に示す斜視図
【図２】本発明の一実施の形態における遊具を模式的に示す平面図
【図３】本発明の一実施の形態における遊具の図２に示すＡ−Ａ’断面図
【図４】本発明の一実施の形態における遊具の変形例を示す平面図
【発明を実施するための形態】
【００１０】
図１〜３を参照して、本発明の一実施の形態における遊具を説明する。図３は図２に示すＡ−Ａ’断面図である。遊具１は幼児、子供、幼児及び子供の保護者等（以下、「遊戯者」と称する）の遊びに供されるものであり、軸部２とステージ３及びステージ３上に設けられた後述する構成要素、等々を含んで構成される。以下、水平面内において直交する２つの方向をＸ軸方向、Ｙ軸方向、ＸＹ平面に対して直交する方向をＺ軸方向と定義する。
【００１１】
図３において、軸部２は、地中に埋設されたコンクリートからなる基礎４に対して、Ｚ軸方向（鉛直方向）に起立姿勢で固定支持された中空状の固定軸５を備えている。固定軸５は上部を含む一部分が設置面ＧＬ（本実施の形態では地面）よりも上方である外界に露出している。固定軸５の下方には水平方向に延びた補強用のプレート部材６が固着しており、プレート部材６は図示しないアンカ−ボルトによって基礎４に固定されている。
【００１２】
固定軸５には、中空状の円筒部材７が複数のベアリング８を介して固定軸５（軸心Ｌ）を中心として回転自在に設けられている（図２に示す矢印ａ）。円筒部材７は、設置面ＧＬよりも上方の位置において固定軸５の外周を覆うように配設されている。複数のベアリング８は、設置面ＧＬよりも上方の位置において所定間隔をあけて配置されている。
【００１３】
固定軸５の上面にはカバー部材９が設けられており、これにより固定軸５の上面側の開口は閉じた状態となっている。カバー部材９には図示しない半球状の凹部が形成されており、凹部には球体１０が転動自在に収容されている。球体１０の一部は凹部から露出している。円筒部材７の上面にはプレート部材１１が設けられており、プレート部材１１の下面には球体１０が接触している。プレート部材１１の上面には矩形板状のテーブル１２が固定されている。テーブル１２は遊戯者が休憩のために腰掛ける休憩スペースとして用いられる。
【００１４】
ステージ３は円筒部材７に固定されている。ステージ３は平面視して円状の回転体であり、固定軸５を中心として円筒部材７と一体となって回転する（図２に示す矢印ａ）。設置面ＧＬからステージ３の上面までの距離は、安全面を考慮して例えば１８０ｍｍ前後に設定される。
【００１５】
ステージ３には、丸太を模した複数の柱状部材１３が脚部１４を介して周方向に等間隔で設けられている。柱状部材１３の両端部には脚部１４の一端が固定されており、脚部１４の他端はステージ３に固定されている。個々の柱状部材１３はステージ３上の外縁近傍に配置されており、遊戯者Ｐが跨って着座する着座部（乗り物）となっている。着座部は柱状部材１３のような形状に限定ざれず、例えば背もたれを有する座席のように、遊戯者Ｐが着座或いは腰掛けが可能なものであればよい。
【００１６】
ステージ３上であって、個々の柱状部材１３と隣接する位置には、略水平方向に延び出た金属パイプから成る第１の手すり部１５が設けられている。第１の手すり部１５は両端が脚部１６とそれぞれ連結しており、脚部１６の下端はステージ３に固定されている。第１の手すり部１５は柱状部材１３よりもステージ３の中心部側であって、柱状部材１３に着座した遊戯者Ｐが一方の手で掴むことが可能な高さ位置にある。柱状部材１３に着座した遊戯者Ｐは、第１の手すり部１５を一方の手で掴むことで、ステージ３の回転時に安定した姿勢を保つことができる。
【００１７】
ステージ３上の外縁部近傍には、略水平方向に延び出た金属パイプから成る第２の手すり部１７が設けられている。第２の手すり部１７は両端が脚部１８とそれぞれ連結しており、脚部１８の下端はステージ３に固定されている。第２の手すり部１７は、ステージ３上を立ち姿勢で遊ぶ遊戯者Ｐが手で掴むためのものである。
【００１８】
ステージ３上には、複数（ここでは４本）の支柱１９が鉛直方向に起立姿勢で設けられており、４つの支柱１９はその上端で屋根２０を支持している。屋根２０はステージ３を覆うサイズに設定されている。便宜上、図２に示す遊具１の平面図では屋根２０の図示を省略している。
【００１９】
ステージ３よりも外側の位置には、平面視して金属パイプを環状に成形した第３の手すり部（手すり部）２１がステージ３と同心円状に配置されている。言い換えれば、第３の手すり部２１はステージ３の外周に沿うようにして配置されている。第３の手すり部２１は、遊戯者Ｐが柱状部材１３に着座した状態で、遊戯者Ｐが片手で掴むことができる高さ位置に設定されている。
【００２０】
第３の手すり部２１の複数個所のそれぞれには、ステージ３から離れる方向である外側に向かって下り勾配で延び出た金属パイプ２２が設けられている。金属パイプ２２には複数（ここでは２本）の脚部２３の一端が固着されており、脚部２３の他端側は設置面ＧＬを貫通して、地中に埋設された図示しないコンクリート基礎に固定されている。すなわち、第３の手すり部２１は金属パイプ２２及び脚部２３を介して設置面ＧＬに固定されている。これにより、ステージ３は第３の手すり部２１に対して相対的に回転する。また、金属パイプ２２はステージ３から外側に向けて下り勾配になっていることで、遊戯者Ｐが金属パイプ２２をつたって第３の手すり部２１を越えてステージ３に進入するような危険行為を抑制するようになっている。
【００２１】
柱状部材１３に着座した遊戯者Ｐは、第３の手すり部２１を片手で掴んで前方又は後方に身体を引き寄せる動作を行うことにより、ステージ３を所定の方向に手動で回転させることができる（矢印ａ）。すなわち、第３の手すり部２１は、設置面ＧＬに対して固定され遊戯者Ｐが着座部に着座した姿勢で操作可能（手を用いた掴み操作が可能）な操作部となっている。なお、第２の手すり部１７は、第３の手すり部２１よりも高い位置に設定されている。
【００２２】
金属パイプ２２及び脚部２３は、ステージ３に乗り込んでいない者（以下「外部者」と称する。図２に示す外部者ＰＡ参照。）による悪戯行為を抑制するためのものとして機能する。すなわち、外部者ＰＡがステージ３上に設けられた構造物（例えば第２の手すり部１７や支柱１９）を掴んでステージ３の周方向に沿って移動すると、その過程で金属パイプ２２及び脚部２３に干渉する。すなわち金属パイプ２２及び脚部２３は、外部者ＰＡがステージ３上の構造物を掴みながら周方向に継続的に走行することで、遊戯者Ｐの意に反してステージ３を高速で回転させるような悪戯行為を抑制する効果を有する。そのため金属パイプ２２の長さ寸法は、例えば一般成人の平均的な肩幅以上に設定することが望ましい。
【００２３】
このように、金属パイプ２２及び脚部２３は、操作部（第３の手すり部２１）よりも外側の位置に設けられ、回転体（ステージ３）に乗り込んでいない外部者ＰＡによるステージ３の周方向への継続した移動を規制する規制手段となっている。規制手段は操作部と連結させる必要はなく、操作部と所定間隔をあけて設置面ＧＬ上の位置に設けてもよい。また、規制手段の形状も任意であり、外部者ＰＡの継続した移動を妨げることができるような形状、構造であればよい。
【００２４】
第３の手すり部２１は、その一部が除去されることで部分的に開口している。この開口した領域Ｅは、遊戯者Ｐがステージ３から乗り降りする際の乗降口となっている。乗降口を仕切る第３の手すり部２１の両端のそれぞれには、Ｌ字状に成形された金属パイプ２４の一端が接続されている。金属パイプ２４は第３の手すり部２１の外側に向かって略水平に延びた部位を有し、金属パイプ２４の他端は地中に埋入されている。２つの金属パイプ２４によって囲まれた領域は乗降口へ通じる通路を形成する。すなわち、２つの金属パイプ２４は、乗降口へ案内するガイド部となっているとともに、前述した規制手段を兼ねている。
【００２５】
なお、本明細書における環状とは、第３の手すり部２１（金属パイプ）が連続した完全な環（ループ体）のみを指すのもではなく、乗降口を設けるために一部を開口させたものを含む。
【００２６】
本実施の形態における遊具１は以上のように構成される。次に遊具１の使用例について説明する。まず、遊戯者Ｐは乗降口からステージ３上に乗り込み、柱状部材１３に着座する。次いで遊戯者Ｐは、第３の手すり部２１を片手で掴んだ状態で、前方又は後方に身体を引き寄せる動作を行う。これによりステージ３を所定の方向に手動で回転させて遊ぶことができる。
【００２７】
以上説明したように、本実施の形態における遊具１は、設置面ＧＬに対して回転自在な回転体（ステージ３）と、回転体に設けられ遊戯者Ｐが着座する着座部（柱状部材１３）と、設置面ＧＬに対して固定され遊戯者Ｐが着座部に着座した姿勢で操作可能な操作部（第３の手すり部２１）と、を備えている。これにより、遊戯者Ｐが回転体に乗った状態で該回転体を手動により回転させて遊ぶ新規な遊具１を提供することができる。
【００２８】
本発明は本実施の形態に限定されることなく、発明の趣旨を逸脱しない範囲で適宜変更することができる。例えば図４に示す遊具１００のように、第３の手すり部２１に替えて、複数の第４の手すり部２１０をステージ３と同心円状の位置に所定間隔をあけて配置してもよい。すなわち、複数の操作部（第４の手すり部２１０）を回転体よりも外側の位置において当該回転体と同心円状に配置してもよい。
【産業上の利用可能性】
【００２９】
本発明によれば、遊戯者が回転体に乗った状態で該回転体を手動により回転させて遊ぶことができ、子供向けの遊具に関する分野において特に有用である。
【符号の説明】
【００３０】
１，１００  遊具
３  ステージ
１３  柱状部材
２１，２１０  第３の手すり部
２２  金属パイプ
ＧＬ  設置面
Ｐ  遊戯者
【図１】
2019205495.tif 000003
【図２】
2019205495.tif 000004
【図３】
2019205495.tif 000005
【図４】
2019205495.tif 000006